(57)【要約】【課題】ランプ不点検知機能、停電時の光補償機能及び足元灯としての機能を兼用することができ、また既存のポールにランプ不点検知機能や足元灯としての機能を追加することができ、さらに比較的安価に構成することができるポール型照明装置を提供することを課題とする。【解決手段】ポール１の所望の個所に照明具２を支持し、同ポールの下端近傍に点検口４を設け、同点検口に開閉蓋５を開閉自在に支持してある。また点検蓋の内側に制御回路６を設け、さらに点検蓋に外部から視認し得るように補助ランプ８を設けて構成してある。また制御回路はタイマー機能を有して構成してある。また光源が不点になったとき等補助ランプが点灯するように構成してある。【選択図】          図１
2004265777.tif 000002
【特許請求の範囲】
【請求項１】
ポールの所望の個所に照明具を支持し、同ポールの下端近傍に点検口を設け、同点検口に開閉蓋を開閉自在に支持し、また点検蓋の内側に制御回路を設け、さらに点検蓋に外面から視認し得るように補助ランプを設けたことを特徴とするポール型照明装置。
【請求項２】
制御回路はタイマー機能を有して構成したことを特徴とする請求項１記載のポール型照明装置。
【請求項３】
照明具に装着してなる光源が不点になったとき、または光源を深夜に消灯若しくは減光したときに補助ランプが点灯するように構成したことを特徴とする請求項１及び請求項２記載のポール型照明装置。
【請求項４】
補助ランプはＬＥＤを用いて構成したことを特徴とする請求項１乃至請求項３記載のポール型照明装置。
【請求項５】
点検蓋に設けた補助ランプを足元灯として機能するように構成したことを特徴とする請求項１乃至請求項４記載のポール型照明装置。
【請求項６】
点検蓋の内側に、点灯制御回路の他、バッテリーを配置し、光源が停電したときに、バッテリーを電源として補助ランプを点灯させるように構成したことを特徴とする請求項１乃至請求項５記載のポール型照明装置。
【発明の詳細な説明】
【０００１】
【発明の属する技術分野】
本発明は、ポール型照明装置の改良に関する。
【０００２】
【従来の技術】
従来、照明器具のランプ不点通知機能や停電時の確認は、特許文献１に示すように、光源から入る光を受光する位置に、光ファイバーの先端受光部を配置し、同光ファイバーの他端をポールの下端近傍に設けた制御機器に接続し、また受光部からの信号を受けてＬＥＤを点灯し、点検者はＬＥＤを視認することにより、光源の点灯を昼間でも確認し得るように構成したものがある。
また例えばＬＥＤを装着してなる足元灯は、特許文献２に示すように照明灯とは別に専用に構成するものが一般的である。
【０００３】
【特許文献１】特開平７−４５１１８
【特許文献２】特開２００２−３２４４２６
【０００４】
【発明が解決しようとする課題】
しかし、上記した従来技術によると、照明器具のランプ不点通知機能や専用の足元灯を構成する必要があり、構成が多岐にわたり、またコスト高となる欠点がある。また不点検知機能や停電時の光補償機能を有して照明器具を構成した場合、それらの機能が不用とされる構成では、別の構成の照明器具を用意しておく必要がある。
【０００５】
本発明は前記の内容に鑑みてなされたもので、ランプ不点検知機能、停電時の光補償機能及び足元灯としての機能を兼用することができ、また既存のポールに容易にランプ不点検知機能や足元灯としての機能を追加することができ、しかも比較的安価に構成することのできるポール型照明装置を提供することを目的とする。
【０００６】
【課題を解決するための手段】
請求項１に記載の発明において、ポールの所望の個所に照明具を支持し、同ポールの下端近傍に点検口を設け、同点検口に開閉蓋を開閉自在に支持し、また点検蓋の内側に制御回路を設けて構成してある。
さらに点検蓋に外面から視認し得るように補助ランプを設けて構成してある。
【０００７】
請求項２に記載の発明は、請求項１に記載のポール型照明装置における制御回路はタイマー機能を有して構成してある。
【０００８】
請求項３に記載の発明は、請求項１及び請求項２に記載のポール型照明装置における照明具に装着してなる光源が不点になったとき、または光源を深夜に消灯若しくは減光したときに補助ランプが点灯するように構成してある。
【０００９】
請求項４に記載の発明は、請求項１乃至請求項３に記載のポール型照明装置における補助ランプはＬＥＤを用いて構成してある。
【００１０】
請求項５に記載の発明は、請求項１乃至請求項４に記載のポール型照明装置における点検蓋に設けた補助ランプを足元灯として機能するように構成してある。
【００１１】
請求項６に記載の発明は、請求項１乃至請求項５に記載のポール型照明装置における点検蓋の内側に、点灯制御回路の他、バッテリーを配置し、光源が停電したときに、バッテリーを電源として補助ランプを点灯させるように構成してある。
【００１２】
上記のポール型照明装置によると、ランプ不点検知機能、停電時の光補償機能及び足元灯としての機能を兼用し、簡単な構成で得ることができる。また点検蓋を有する既存のポールにランプ不点検知機能、停電時の光補償機能、足元灯としての機能を簡単に追加することができる。しかも比較的安価に構成することのできる。
また制御回路にタイマー機能をもたせることにより、深夜などの高い照度が不用の時間帯に光源を消灯もしくは減光させ、さらに補助光源を点灯させることにより、省エネルギーを図りつつ、最低限の明るさを確保することが可能となる。
【発明の実施の形態】
以下に本発明の実施例を図１乃至図４について説明する。図１乃至図４において、１は所望の個所に照明具２を支持してなるポール、照明具２は例えば図３に示すように、ポールの頂部近傍にしてある。また照明具２はポールの頂部近傍の他、ポールの中間付近に支持し、被照射面における照度を調整してもよい。照明具２の内部には、光源３を装着して構成してある。光源として例えば高圧放電ランプを用いる。
４はポール１の下端近傍に構成してなる点検口、５は点検口４に開閉自在に支持してなる点検蓋である。同点検蓋５は一般的な照明用ポールの点検蓋と形状、大きさを同一に製作し、一般的な照明用ポールに特に改造を施さずに取り付け可能な構成としてある。
６は点検蓋５の内側に支持設けてなる制御回路であって、タイマー機能を有して構成してある。また同制御回路は使用目的に応じて不点検知機能、停電検知機能を付加して構成する。７は点検蓋５の外面から視認し得るように配置してなる補助ランプであって、例えばＬＥＤを用いて構成してある。８は点検蓋５の内面に設けてなるバッテリーである。
【００１３】
バッテリー８の充電用電源は光源の電源と共用しており、電源線は制御回路６もしくはバッテリー８を電気的に経由した後、光源に直接若しくは光源のランプ点灯に必要な安定器や点灯装置に接続される。
【００１４】
図１乃至図４において、光源３は点灯制御回路６によって制御され、制御回路６が不点検知機能を持つ場合、光源３の不点を検知して点検蓋の補助ランプ７を点灯させる。不点は電源の電流値、電圧値、電力値などの変動より検知される。
また補助ランプは、足元灯として機能するように構成してある。
【００１５】
また光源３は制御回路６によって制御され、制御回路６にタイマー機能を持たせた場合、指定された時間帯には光源３のランプへの電力供給を制御して消灯若しくは減光すると同時に、点検蓋の補助ランプ７を点灯させる。
【００１６】
また光源３は制御回路６によって制御され、制御回路６が光補償機能を持つ場合、電源の停電を検知して点検蓋の補助ランプ７をバッテリーより電力を供給し点灯させる。
【００１７】
【発明の効果】
上記した請求項１乃至請求項６に記載の発明によると、不点検知機能、停電時の光補償機能及び足元灯としての機能を兼ね備えたポール型照明装置を安価に得ることができ、さらに本発明にかかる点検蓋と交換することにより、既存のポールに不点検知機能、停電時の光補償機能、足元灯としての機能を簡単に追加することができる特別な効果がある。また深夜などの高い照度が不用の時間帯に光源を消灯もしくは減光させ、さらに補助光源を点灯させることにより、省エネを図りつつポールの周辺を必要な明るさで照明することができる特別な効果がある。
【図面の簡単な説明】
【図１】本発明に係るポールの点検蓋に補助ランプを配置したときの斜視図。
【図２】本発明に係るポールの点検蓋に不点検知機能を付加したときの一部拡大側面図。
【図３】本発明に係るポールに足元灯機能を付加したときの正面図。
【図４】本発明に係る照明用ポールの点検蓋に光補償機能を付加したときの側面図。
【符号の説明】
１  ポール
２  照明具
３  光源
４  点検口
５  点検蓋
６  制御回路
７  補助ランプ
８  バッテリー
【図１】
2004265777.tif 000003
【図２】
2004265777.tif 000004
【図３】
2004265777.tif 000005
【図４】
2004265777.tif 000006